(57)【特許請求の範囲】
【請求項１】
権利を消費して、ユーザ間で資産の貸借を行う資産貸借システムであって、
第１のユーザが、第２のユーザに資産を貸す場合、貸す時間分と同じ時間分の他ユーザの資産を借りることができる権利を、当該第１のユーザに付与する付与手段と、
前記第１のユーザから、自身が所望する資産を借りる条件の入力を受け付け、前記他ユーザの資産を検索する検索手段と、
前記第１のユーザから、検索した資産の内、借りるためのリクエストを受け付けるリクエスト受付手段と、
前記リクエストに対応する資産を保有する第３のユーザが当該リクエストに応じて前記第１のユーザに前記資産を貸す場合、当該第１のユーザが保有する前記権利から、当該リクエストに応じた当該第３のユーザから資産を借りる時間分の権利を減算することにより当該第１のユーザが保有する権利を消費させる消費手段と、
を備え、
前記付与手段は、前記リクエストに応じた貸す時間分の権利と同じ時間分の前記他ユーザの資産を借りることができる権利を、前記第３のユーザが保有する権利に加算することにより付与する、
ことを特徴とする資産貸借システム。
【請求項２】
前記消費させる権利が足りない場合、権利の前借を行う前借手段と、
所定時間数以内に、前記前借した権利と同じ時間分、前記他ユーザに資産を貸すことを、前記第１のユーザに指示する指示手段と、
前記所定時間数以内に、前記前借した権利と同じ時間分、前記他ユーザに資産を貸すことができなかった場合に、予め設定された単位時間当たりの金額に基づいて、当該前借した権利と同じ時間分の金銭を算出し、前記第１のユーザに、算出した当該金銭で清算させる清算手段と、
を備えることを特徴とする請求項１に記載の資産貸借システム。
【請求項３】
前記資産を貸したユーザ及び当該資産を借りたユーザの其々の評価を受け付ける評価受付手段と、
受け付けた評価が所定の閾値以下のユーザに対して、資産の貸借を禁止する禁止手段と、
をさらに備えることを特徴とする請求項１に記載の資産貸借システム。
【請求項４】
前記リクエストを行った第１のユーザの位置情報と、当該リクエストに応じた第３のユーザの位置情報とを其々取得する取得手段と、
前記第１のユーザの位置情報と、前記第３のユーザの位置情報とを地図上にマッピングするマッピング手段と、
をさらに備えることを特徴とする請求項１に記載の資産貸借システム。
【請求項５】
前記リクエストを行った第１のユーザと、前記リクエストに応じた第３のユーザとの間で、前記資産の貸借に必要な情報を交換する情報交換手段と、
をさらに備えることを特徴とする請求項１に記載の資産貸借システム。
【請求項６】
前記検索手段は、前記他ユーザが予め登録した前記資産を貸すための条件の中から、当該資産を検索する、
ことを特徴とする請求項１に記載の資産貸借システム。
【請求項７】
前記権利の付与と、当該権利の消費とのサイクルを繰り返すサイクル手段と、
をさらに備えることを特徴とする請求項１に記載の資産貸借システム。
【請求項８】
前記リクエストに応じて資産を貸す前に、この貸借がキャンセルされた場合、前記第１のユーザの権利消費及び前記第３のユーザの権利付与をキャンセルするキャンセル手段と、
をさらに備えることを特徴とする請求項１に記載の資産貸借システム。
【請求項９】
消費させる前記権利が足りない場合、前記権利の購入を行う購入手段と、
をさらに備え、
前記消費手段は、前記第１のユーザが購入した権利を含んだ保有する権利の内、当該リクエストに応じた借りる時間分の権利を消費させる、
ことを特徴とする請求項１に記載の資産貸借システム。
【請求項１０】
前記清算手段は、前記前借した権利と同じ時間分から、貸すことができた時間分を差し引き、残りの時間分を、金銭で清算する、
ことを特徴とする請求項２に記載の資産貸借システム。
【請求項１１】
権利を消費して、ユーザ間で資産の貸借を行うコンピュータであって、
第１のユーザが、第２のユーザに資産を貸す場合、貸す時間分と同じ時間分の他ユーザの資産を借りることができる権利を、当該第１のユーザに付与する付与手段と、
前記第１のユーザから、自身が所望する資産を借りる条件の入力を受け付け、前記他ユーザの資産を検索する検索手段と、
前記第１のユーザから、検索した資産の内、借りるためのリクエストを受け付けるリクエスト受付手段と、
前記リクエストに対応する資産を保有する第３のユーザが当該リクエストに応じて前記第１のユーザに前記資産を貸す場合、当該第１のユーザが保有する前記権利から、当該リクエストに応じた当該第３のユーザから資産を借りる時間分の権利を減算することにより当該第１のユーザが保有する権利を消費させる消費手段と、
を備え、
前記付与手段は、前記リクエストに応じた貸す時間分の権利と同じ時間分の前記他ユーザの資産を借りることができる権利を、前記第３のユーザが保有する権利に加算することにより付与する、
ことを特徴とするコンピュータ。
【請求項１２】
権利を消費して、ユーザ間で資産の貸借を行うコンピュータが実行する資産貸借方法であって、
第１のユーザが、第２のユーザに資産を貸す場合、貸す時間分と同じ時間分の他ユーザの資産を借りることができる権利を、当該第１のユーザに付与するステップと、
前記第１のユーザから、自身が所望する資産を借りる条件の入力を受け付け、前記他ユーザの資産を検索するステップと、
前記第１のユーザから、検索した資産の内、借りるためのリクエストを受け付けるステップと、
前記リクエストに対応する資産を保有する第３のユーザが当該リクエストに応じて前記第１のユーザに前記資産を貸す場合、当該第１のユーザが保有する前記権利から、当該リクエストに応じた当該第３のユーザから資産を借りる時間分の権利を減算することにより当該第１のユーザが保有する権利を消費させるステップと、
前記リクエストに応じた貸す時間分の権利と同じ時間分の前記他ユーザの資産を借りることができる権利を、前記第３のユーザが保有する権利に加算することにより付与するステップと、
を備えることを特徴とする資産貸借方法。
【請求項１３】
権利を消費して、ユーザ間で資産の貸借を行うコンピュータに、第１のユーザが、第２のユーザに資産を貸す場合、貸す時間分と同じ時間分の他ユーザの資産を借りることができる権利を、当該第１のユーザに付与するステップ、
前記第１のユーザから、自身が所望する資産を借りる条件の入力を受け付け、前記他ユーザの資産を検索するステップ、
前記第１のユーザから、検索した資産の内、借りるためのリクエストを受け付けるステップ、
前記リクエストに対応する資産を保有する第３のユーザが当該リクエストに応じて前記第１のユーザに前記資産を貸す場合、当該第１のユーザが保有する前記権利から、当該リクエストに応じた当該第３のユーザから資産を借りる時間分の権利を減算することにより当該第１のユーザが保有する権利を消費させるステップ、
前記リクエストに応じた貸す時間分の権利と同じ時間分の前記他ユーザの資産を借りることができる権利を、前記第３のユーザが保有する権利に加算することにより付与するステップ、
を実行させるためのコンピュータ読み取り可能なプログラム。
【発明の詳細な説明】
【技術分野】
【０００１】
本発明は、権利を消費して、ユーザ間で資産の貸借を行う資産貸借システム、コンピュータ、資産貸借方法及びプログラムに関する。
【背景技術】
【０００２】
近年、ユーザ間で資産（例えば、車両、不動産、趣味スポーツ用品、時間、デジタル資産）の貸借を行う技術が注目されている。【０００３】
このような技術の例として、クラウド内のデジタル資産を管理するために、あるユーザに資産を提供する際、他ユーザから借用可能な資産の一覧表をこのユーザに提供し、ユーザが資産の使用を要求すると、所定の資産の権利を、提供するユーザから要求したユーザへ移転する技術が開示されている（特許文献１参照）。
【先行技術文献】
【特許文献】
【０００４】
【特許文献１】特表２０１８−５０８０７７号公報
【発明の概要】
【発明が解決しようとする課題】
【０００５】
しかしながら、ユーザ間で資産の貸借を健全に行うには、テイクアンドギブではなく、ギブアンドテイクが必要となる。すなわち、自身の資産を誰かに所定時間貸すことにより、他ユーザの資産をこの所定時間分借りられることが重要となる。特許文献１の構成では、ギブアンドテイクが成立していないため、ユーザ間で資産の貸借を健全に行うことが困難であった。【０００６】
本発明は、自身の資産を誰かに貸す場合、貸す時間と同じ時間分の他ユーザの資産を借りることが可能となる権利を付与することにより、ユーザ間で資産の貸借を健全に行うことを容易とすることが可能な資産貸借システム、コンピュータ、資産貸借方法及びプログラムを提供することを目的とする。
【課題を解決するための手段】
【０００７】
本発明では、以下のような解決手段を提供する。【０００８】
本発明は、権利を消費して、ユーザ間で資産の貸借を行う資産貸借システムであって、
第１のユーザが、第２のユーザに資産を貸す場合、貸す時間分と同じ時間分の他ユーザの資産を借りることができる権利を、当該第１のユーザに付与する付与手段と、
前記第１のユーザから、自身が所望する資産を借りる条件の入力を受け付け、前記他ユーザの資産を検索する検索手段と、
前記第１のユーザから、検索した資産の内、借りるためのリクエストを受け付けるリクエスト受付手段と、
前記リクエストに対応する資産を保有する第３のユーザが当該リクエストに応じて前記第１のユーザに前記資産を貸す場合、当該第１のユーザが保有する前記権利から、当該リクエストに応じた当該第３のユーザから資産を借りる時間分の権利を減算することにより当該第１のユーザが保有する権利を消費させる消費手段と、
を備え、
前記付与手段は、前記リクエストに応じた貸す時間分の権利と同じ時間分の前記他ユーザの資産を借りることができる権利を、前記第３のユーザが保有する権利に加算することにより付与する、
ことを特徴とする資産貸借システムを提供する。
【０００９】
本発明によれば、権利を消費して、ユーザ間で資産の貸借を行う資産貸借システムは、第１のユーザが、第２のユーザに資産を貸す場合、貸す時間分と同じ時間分の他ユーザの資産を借りることができる権利を、当該第１のユーザに付与し、前記第１のユーザから、自身が所望する資産を借りる条件の入力を受け付け、前記他ユーザの資産を検索し、前記第１のユーザから、検索した資産の内、借りるためのリクエストを受け付け、前記リクエストに対応する資産を保有する第３のユーザが当該リクエストに応じて前記第１のユーザに前記資産を貸す場合、当該第１のユーザが保有する前記権利から、当該リクエストに応じた当該第３のユーザから資産を借りる時間分の権利を減算することにより当該第１のユーザが保有する権利を消費させ、前記リクエストに応じた貸す時間分の権利と同じ時間分の前記他ユーザの資産を借りることができる権利を、前記第３のユーザが保有する権利に加算することにより付与する。
【００１０】
本発明は、システムのカテゴリであるが、方法及びプログラム等の他のカテゴリにおいても、そのカテゴリに応じた同様の作用・効果を発揮する。【００１１】
また、本発明は、権利を消費して、ユーザ間で資産の貸借を行うコンピュータであって、
第１のユーザが、第２のユーザに資産を貸す場合、貸す時間分と同じ時間分の他ユーザの資産を借りることができる権利を、当該第１のユーザに付与する付与手段と、
前記第１のユーザから、自身が所望する資産を借りる条件の入力を受け付け、前記他ユーザの資産を検索する検索手段と、
前記第１のユーザから、検索した資産の内、借りるためのリクエストを受け付けるリクエスト受付手段と、
前記リクエストに対応する資産を保有する第３のユーザが当該リクエストに応じて前記第１のユーザに前記資産を貸す場合、当該第１のユーザが保有する前記権利から、当該リクエストに応じた当該第３のユーザから資産を借りる時間分の権利を減算することにより当該第１のユーザが保有する権利を消費させる消費手段と、
を備え、
前記付与手段は、前記リクエストに応じた貸す時間分の権利と同じ時間分の前記他ユーザの資産を借りることができる権利を、前記第３のユーザが保有する権利に加算することにより付与する、
ことを特徴とするコンピュータを提供する。
【発明の効果】
【００１２】
本発明によれば、自身の資産を誰かに貸す場合、貸す時間と同じ時間分の他ユーザの資産を借りることが可能となる権利を付与することにより、ユーザ間で資産の貸借を健全に行うことを容易とすることが可能な資産貸借システム、コンピュータ、資産貸借方法及びプログラムを提供することが可能となる。
【図面の簡単な説明】
【００１３】
【図１】図１は、資産貸借システム１の概要を示す図である。
【図２】図２は、資産貸借システム１の全体構成図である。
【図３】図３は、コンピュータ１０が実行する資産登録処理のフローチャートを示す図である。
【図４】図４は、コンピュータ１０が実行する権利付与処理のフローチャートを示す図である。
【図５】図５は、コンピュータ１０が実行する資産貸借処理のフローチャートを示す図である。
【図６】図６は、コンピュータ１０が実行する資産前借処理のフローチャートを示す図である。
【図７】図７は、コンピュータ１０が実行する評価処理のフローチャートを示す図である。
【図８】図８は、コンピュータ１０が実行する権利購入処理のフローチャートを示す図である。
【発明を実施するための形態】
【００１４】
以下、本発明を実施するための最良の形態について図を参照しながら説明する。なお、これはあくまでも例であって、本発明の技術的範囲はこれに限られるものではない。
【００１５】
［資産貸借システム１の概要］
本発明の好適な実施形態の概要について、図１に基づいて説明する。図１は、本発明の好適な実施形態である資産貸借システム１の概要を説明するための図である。資産貸借システム１は、コンピュータ１０から構成され、権利を消費して、ユーザ間で資産の貸借を行うコンピュータシステムである。
【００１６】
なお、資産貸借システム１は、各ユーザが所持するユーザ端末（例えば、スマートフォンやタブレット端末等の携帯端末や、スマートグラス等のヘッドマウントディスプレイやスマートウォッチといったウェアラブル端末）、その他の端末や装置類等が含まれていてもよい。この場合、資産貸借システム１は、後述する各処理を、コンピュータ１０と含まれる端末や装置類等との何れか又は複数の組み合わせにより実行することになる。
【００１７】
また、資産貸借システム１は、例えば、コンピュータ１０等の１台のコンピュータで実現されてもよいし、クラウドコンピュータのように、複数のコンピュータで実現されてもよい。
【００１８】
コンピュータ１０は、上述したユーザ端末、その他の端末や装置類等と、公衆回線網等を介して、データ通信可能に接続されており、必要なデータや情報の送受信を実行する。
【００１９】
コンピュータ１０は、第１のユーザが、第２のユーザに資産を貸す場合、貸す時間分と同じ時間分の他ユーザの資産を借りることができる権利を、この第１のユーザに付与する。資産は、上述した通り、例えば、車両、不動産、趣味スポーツ用品、時間、デジタル資産である。権利は、各ユーザが他ユーザが保有する資産を借りる時間を意味するものである。
【００２０】
コンピュータ１０は、第１のユーザから、この第１のユーザが所望する資産を借りる条件の入力を受け付け、他ユーザの資産を検索する。条件は、例えば、貸出日時、貸出時間、貸出場所、貸し出す相手のタイプ、貸出方法、借りる相手の評価である。例えば、第１のユーザが所持する第１ユーザ端末は、この条件の入力を受け付ける。第１ユーザ端末は、この受け付けた条件を、コンピュータ１０に送信する。コンピュータ１０は、この条件を受信することにより、第１ユーザが所望する条件を受け付けることになる。コンピュータ１０は、この受け付けた条件に基づいて、この条件に該当する他ユーザの資産を検索する。コンピュータ１０は、予め各ユーザにより登録された資産を貸すための条件の中から、今回第１のユーザから受け付けた条件に該当する他ユーザの資産を検索することになる。
【００２１】
コンピュータ１０は、第１のユーザから、検索した資産の内、借りるためのリクエストを受け付ける。例えば、コンピュータ１０は、検索結果を、第１ユーザ端末に出力させる。コンピュータ１０は、この検索結果を、第１ユーザ端末に送信する。第１ユーザ端末は、この検索結果を受信し、自身の表示部に表示や音声部から放音する。この結果、コンピュータ１０は、第１ユーザ端末に検索結果を出力させることになる。
【００２２】
第１ユーザ端末は、出力した検索結果に対して、第１のユーザが所望する資産を借りるためのリクエストの入力を受け付ける。第１ユーザ端末は、受け付けたリクエストを、コンピュータ１０に送信する。リクエストは、第１のユーザが借りようとする資産、この資産を保有するユーザの識別子及び借入時間等が含まれる。コンピュータ１０は、このリクエストを受信することにより、第１のユーザから、資産を借りるためのリクエストを受け付けることになる。
【００２３】
コンピュータ１０は、リクエストに対応する資産を保有する第３のユーザが、このリクエストに応じて、資産を貸す場合、第１のユーザが保有する権利の内、このリクエストに応じた借りる時間分の権利を消費させる。
【００２４】
なお、コンピュータ１０は、リクエストを行った第１のユーザ及び第３のユーザが予め登録した自身の居住地、交換場所を其々取得し、これらを、地図上にマッピングする構成も可能である。また、コンピュータ１０は、リクエストを行った第１のユーザの位置情報と、リクエストに応じた第３のユーザの位置情報とを其々取得し、其々の位置情報を、地図上にマッピングする構成も可能である。
【００２５】
また、コンピュータ１０は、この第１のユーザと、第３のユーザとの間で、資産の貸借に必要な情報を交換する構成も可能である。この情報は、例えば、各ユーザが事前に登録した情報の一部（例えば、免許証情報、交換場所）及びリクエストの情報（例えば、借入日時、借入時間、借入日数）である。また、この情報は、例えば、上述した条件、リクエストの内容、其々の位置情報をマッピングした地図、第１のユーザが保有する権利であってもよい。
【００２６】
また、コンピュータ１０は、第１のユーザに消費させる権利がない場合（足りない場合も含む）、権利の前借りを行う構成も可能である。例えば、コンピュータ１０は、所定時間内に、前借りした権利と同じ時間分、他ユーザに資産を貸すことを第１のユーザに指示する。コンピュータ１０は、この指示を、第１ユーザ端末に出力させることにより、第１のユーザに指示することになる。さらに、コンピュータ１０は、所定時間以内に、前借りした権利と同じ時間分、他ユーザに資産を貸すことができなかった場合、第１のユーザに金銭で前借りした権利と同じ時間分を清算させる構成も可能である。
【００２７】
コンピュータ１０は、第３のユーザに対して、このリクエストに応じた貸す時間分の権利と同じ時間分の他ユーザの資産を借りることができる権利を付与する。
【００２８】
なお、コンピュータ１０は、この第３のユーザと、第１のユーザとの其々の評価を受け付け、受け付けた評価が所定の閾値以下となったユーザに対して、資産の貸借を禁止する構成も可能である。
【００２９】
また、コンピュータ１０は、上述したユーザに対する権利付与と、この権利の消費とのサイクルを繰り替えす構成も可能である。
【００３０】
また、コンピュータ１０は、リクエストに応じて資産を貸す前に、この貸借がキャンセルされた場合、第１のユーザの権利消費及び第３のユーザの権利付与をキャンセルする構成も可能である。このとき、コンピュータ１０は、第１のユーザと第３のユーザとのどちらがキャンセルしたのか、貸借開始時間より、所定時間（例えば、７２時間）以内のキャンセルであるか、所定時間よりも前のキャンセルであるか等に基づいて、ペナルティを付与する構成も可能である。また、キャンセルを行ったユーザに対して、最低点の評価をペナルティとして付与する構成も可能である。
【００３１】
また、コンピュータ１０は、前借した権利と同じ時間分、他ユーザに資産を貸すことができなかった場合、貸すことができた時間分を、他ユーザに資産を貸すことにより清算し、残りの時間分を、金銭で清算する構成も可能である。
【００３２】
次に、資産貸借システム１が実行する処理の概要について説明する。
【００３３】
はじめに、コンピュータ１０は、第１のユーザが、第２のユーザに資産を貸す場合、貸す時間分と同じ時間分の他ユーザの資産を借りることができる権利を、この第１のユーザに付与する（ステップＳ０１）。
【００３４】
コンピュータ１０は、第１のユーザから、この第１のユーザが所望する資産を借りる条件の入力を受け付け、他ユーザの資産を検索する（ステップＳ０２）。第１ユーザ端末は、この条件の入力を受け付け、この条件を、コンピュータ１０に送信する。コンピュータ１０は、この条件を受信することにより、条件の入力を受け付けることになる。コンピュータ１０は、この受け付けた条件に基づいて、この条件に該当する他ユーザの資産を検索する。
【００３５】
コンピュータ１０は、第１のユーザから、検索した資産の内、借りるためのリクエストを受け付ける（ステップＳ０３）。コンピュータ１０は、第１ユーザ端末に出力させた検索結果に対する第１ユーザのリクエストを受け付ける。
【００３６】
コンピュータ１０は、リクエストに対応する資産を保有する第３のユーザが、このリクエストに応じて、資産を貸す場合、第１のユーザが保有する権利の内、このリクエストに応じた借りる時間分の権利を消費させる（ステップＳ０４）。
【００３７】
コンピュータ１０は、第３のユーザに対して、このリクエストに応じた貸す時間分の権利と同じ時間分の他ユーザの資産を借りることができる権利を、貸借が開始されたタイミグで付与する。（ステップＳ０５）。なお、コンピュータ１０は、第３のユーザに対して、このリクエストに応じた貸す時間分の権利と同じ時間分の他ユーザの資産を借りることができる権利を貸借が開始されるよりも前のタイミングで付与してもよい。
【００３８】
以上が、資産貸借システム１が実行する処理の概要である。
【００３９】
［資産貸借システム１のシステム構成］
図２に基づいて、本発明の好適な実施形態である資産貸借システム１のシステム構成について説明する。図２は、本発明の好適な実施形態である資産貸借システム１のシステム構成を示す図である。図２において、資産貸借システム１は、コンピュータ１０から構成され、権利を消費して、ユーザ間で資産の貸借を行うコンピュータシステムである。
【００４０】
コンピュータ１０は、ユーザ端末、その他の端末や装置類等と、公衆回線網等を介して、データ通信可能に接続されており、必要なデータや情報の送受信を実行する。
【００４１】
なお、資産貸借システム１は、図示していないユーザ端末、その他の端末や装置類等が含まれていてもよい。この場合、資産貸借システム１は、後述する各処理を、コンピュータ１０と含まれる端末や装置類等との何れか又は複数の組み合わせにより実行することになる。
【００４２】
また、資産貸借システム１は、例えば、コンピュータ１０等の１台のコンピュータで実現されてもよいし、クラウドコンピュータのように、複数のコンピュータで実現されてもよい。
【００４３】
コンピュータ１０は、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部として、他の端末や装置等と通信可能にするためのデバイス、例えば、ＩＥＥＥ８０２．１１に準拠したＷｉ―Ｆｉ（Ｗｉｒｅｌｅｓｓ―Ｆｉｄｅｌｉｔｙ）対応デバイス等を備える。また、コンピュータ１０は、記録部として、ハードディスクや半導体メモリ、記録媒体、メモリカード等によるデータのストレージ部を備える。また、コンピュータ１０は、処理部として、各種処理を実行する各種デバイス等を備える。
【００４４】
コンピュータ１０において、制御部が所定のプログラムを読み込むことにより、通信部と協働して、資産情報取得モジュール２０、条件情報受付モジュール２１、検索結果出力モジュール２２、リクエスト受付モジュール２３、リクエスト出力モジュール２４、リクエスト結果取得モジュール２５、位置情報取得モジュール２６、必要情報交換モジュール２７、指示モジュール２８、評価受付モジュール２９、購入受付モジュール６０を実現する。また、コンピュータ１０において、制御部が所定のプログラムを読み込むことにより、記録部と協働して、記録モジュール３０を実現する。また、コンピュータ１０において、制御部が所定のプログラムを読み込むことにより、処理部と協働して、貸出判断モジュール４０、権利付与モジュール４１、検索モジュール４２、ユーザ特定モジュール４３、リクエスト結果判断モジュール４４、マッピングモジュール４５、権利時間判断モジュール４６、権利消費モジュール４７、権利前借モジュール４８、清算モジュール４９、評価算出モジュール５０、評価判断モジュール５１、貸借禁止モジュール５２、登録情報取得モジュール５３、購入判断モジュール５４を実現する。
【００４５】
［資産登録処理］
図３に基づいて、資産貸借システム１が実行する資産登録処理について説明する。図３は、コンピュータ１０が実行する資産登録処理のフローチャートを示す図である。上述した各モジュールが実行する処理について、本処理に併せて説明する。
【００４６】
資産情報取得モジュール２０は、各ユーザが、他ユーザに対して貸し出す資産に関する情報を、資産情報として取得する（ステップＳ１０）。資産情報は、例えば、ユーザの識別子（例えば、ＩＤ、名称、管理番号）、資産の識別子（例えば、名称、種類、型式）及び他ユーザに対して貸し出す際の条件（例えば、貸出日時、貸出時間、貸し出す相手のタイプ、貸出方法）である。ステップＳ１０において、ユーザ端末は、この資産情報の入力を受け付け、受け付けた資産情報を、コンピュータ１０に送信する。資産情報取得モジュール２０は、この資産情報を受信することにより、各ユーザから資産情報を取得することになる。
【００４７】
記録モジュール３０は、取得した資産情報を記録する（ステップＳ１１）。ステップＳ１１において、記録モジュール３０は、取得した資産情報を、ユーザ毎、資産の識別子毎又は条件毎の何れか又は複数の組み合わせとして記録する。この結果、各ユーザは、他ユーザに対して貸し出す資産をコンピュータ１０に登録することになる。
【００４８】
コンピュータ１０は、このようにして記録した資産情報を、後述する処理に利用する。
【００４９】
以上が、資産登録処理である。
【００５０】
［権利付与処理］
図４に基づいて、資産貸借システム１が実行する権利付与処理について説明する。図４は、コンピュータ１０が実行する権利付与処理のフローチャートを示す図である。上述した各モジュールが実行する処理について、本処理に併せて説明する。
【００５１】
貸出判断モジュール４０は、第１のユーザが、第２のユーザ（すなわち、他ユーザ）に資産を貸し出したか否かを判断する（ステップＳ２０）。各ユーザが他ユーザに対して資産を貸し出す処理の詳細については、後述する。ステップＳ２０において、貸出判断モジュール４０は、資産を貸し出していないと判断した場合（ステップＳ２０  ＮＯ）、コンピュータ１０は、本処理を終了する。
【００５２】
一方、ステップＳ２０において、貸出判断モジュール４０は、資産を貸し出したと判断した場合（ステップＳ２０  ＹＥＳ）、権利付与モジュール４１は、第１のユーザが、第２のユーザに資産を貸し出した時間分と同じ時間分の他ユーザの資産を借りることができる権利を、貸借が開始されたタイミングで、第１のユーザに付与する（ステップＳ２１）。ステップＳ２１において、権利付与モジュール４１は、現在この第１のユーザが保有する資産を借りることができる時間に、今回資産を貸し出した時間分を加算する。権利付与モジュール４１が付与する権利とは、各ユーザが他ユーザから資産を借りるための時間を意味するものとなる。
【００５３】
記録モジュール３０は、この第１のユーザの付与後の権利を記録する（ステップＳ２２）。ステップＳ２２において、記録モジュール３０は、第１のユーザの識別子と、権利とを対応付けて記録することになる。
【００５４】
コンピュータ１０は、他ユーザに対しても同様に、資産を貸し出した場合、貸し出した時間分の権利を該当するユーザに対して付与することになる。
【００５５】
以上が、権利付与処理である。
【００５６】
［資産貸借処理］
図５に基づいて、資産貸借システム１が実行する資産貸借処理について説明する。図５は、コンピュータ１０が実行する資産貸借処理のフローチャートを示す図である。上述した各モジュールが実行する処理について、本処理に併せて説明する。なお、上述した処理と同様の処理については、その詳細な説明を省略する。
【００５７】
条件情報受付モジュール２１は、第１のユーザから、この第１のユーザが所望する資産を借りる条件である条件情報を受け付ける（ステップＳ３０）。ステップＳ３０において、第１ユーザ端末は、第１のユーザが所望する資産を借りる条件を、条件情報として入力を受け付ける。条件は、上述した通りである。第１ユーザ端末は、受け付けた条件情報をコンピュータ１０に送信する。条件情報受付モジュール２１は、この条件情報を受信することにより、第１のユーザから、条件情報を受け付けることになる。
【００５８】
検索モジュール４２は、受け付けた条件情報に基づいて、この条件情報に該当する他ユーザの資産を検索する（ステップＳ３１）。ステップＳ３１において、検索モジュール４２は、上述した資産登録処理により登録された各ユーザの資産の中から、今回受け付けた条件情報を満たすものを検索する。このとき、検索モジュール４２は、一又は複数の資産を検索することになる。
【００５９】
コンピュータ１０は、一の検索結果が得られた場合、この一の検索結果を後述する処理に用いる。また、コンピュータ１０は、複数の検索結果が得られた場合、複数の検索結果の一部又は全部を後述する処理に用いる。例えば、コンピュータ１０は、条件情報の内、予めユーザが設定した優先順位の高いものに該当する検索結果を、後述する処理に用いることや、その他の条件に該当する検索結果を、後述する処理に用いる。
【００６０】
検索結果出力モジュール２２は、今回資産を検索した検索結果を、第１ユーザ端末に出力する（ステップＳ３２）。ステップＳ３２において、検索結果出力モジュール２２は、検索結果を、第１ユーザ端末に送信する。第１ユーザ端末は、この検索結果を受信し、自身の表示部に表示や音声部から放音する。この結果、検索結果出力モジュール２２は、第１のユーザに検索結果を出力することになる。
【００６１】
リクエスト受付モジュール２３は、第１のユーザから、検索結果の内、借りるためのリクエストを受け付ける（ステップＳ３３）。ステップＳ３３において、第１ユーザ端末は、出力した検索結果に対する入力をリクエストとして受け付ける。このリクエストは、第１のユーザが借りようとする資産、この資産を保有するユーザの識別子及びこの資産の借入日時等が含まれる。第１ユーザ端末は、受け付けたリクエストを、コンピュータ１０に送信する。リクエスト受付モジュール２３は、このリクエストを受信することにより、第１のユーザからのリクエストを受け付けることになる。
【００６２】
権利時間判断モジュール４６は、第１のユーザが保有する権利が、リクエストにおける借りる時間分を満たすか否かを判断する（ステップＳ３４）。ステップＳ３４において、権利時間判断モジュール４６は、上述したステップＳ２１の処理において付与された第１のユーザに付与された権利が、今回第３のユーザから資産を借りるための時間を満たすか否かを判断する。権利時間判断モジュール４６は、満たしていないと判断した場合（ステップＳ３４  ＮＯ）、コンピュータ１０は、後述する資産前借処理を実行する（ステップＳ３５）。
【００６３】
なお、ステップＳ３５における資産前借処理に替えて、後述する権利購入処理を実行する構成も可能である。
【００６４】
コンピュータ１０は、第１のユーザからの入力に基づいて、資産前借処理又は権利購入処理の何れの処理を実行するかを判断する。コンピュータ１０は、第１のユーザ端末から、第１のユーザが、資産前借処理又は権利購入処理の何れを所望するかの入力を受け付けることにより、実行する処理を選択することになる。すなわち、上述したステップＳ３５の処理において、コンピュータ１０は、資産前借処理の入力を受け付けた場合、後述する資産前借処理を実行し、権利購入処理の入力を受け付けた場合、後述する権利購入処理を実行する事になる。
【００６５】
一方、ステップＳ３４において、権利時間判断モジュール４６は、満たしていると判断した場合（ステップＳ３４  ＹＥＳ）、権利消費モジュール４７は、リクエストにおける借りる時間分を、第１のユーザが保有する権利から消費させる（ステップＳ３６）。ステップＳ４３において、権利消費モジュール４７は、上述した権利付与処理により付与された第１のユーザが保有する権利の内、今回第３のユーザから資産を借りる時間分の権利を、減算することにより、権利を消費させる。
【００６６】
ユーザ特定モジュール４３は、受け付けたリクエストに基づいて、第１のユーザが資産を借りようとする他ユーザを特定する（ステップＳ３７）。ステップＳ３７において、ユーザ特定モジュール４３は、リクエストに含まれる資産を保有するユーザの識別子に基づいて、今回第１のユーザが資産を借りようとするユーザを特定する。以下の説明において、ユーザ特定モジュール４３は、第３のユーザを、今回第１のユーザが資産を借りようとするユーザとして特定したものとして説明する。
【００６７】
リクエスト出力モジュール２４は、特定した第３のユーザに対して、第１のユーザからのリクエストを出力する（ステップＳ３８）。ステップＳ３８において、リクエスト出力モジュール２４は、第１のユーザが所望した資産、第１のユーザの識別子及びこの資産の借入日時を、第１のユーザからのリクエストとして出力する。リクエスト出力モジュール２４は、このリクエストを、第３のユーザが所持する第３ユーザ端末に送信する。第３ユーザ端末は、このリクエストを受信し、自身の表示部に表示や音声部から放音する。この結果、リクエスト出力モジュール２４は、第３のユーザに対して、このリクエストを出力することになる。
【００６８】
リクエスト結果取得モジュール２５は、第３のユーザに出力したリクエストに対する結果を取得する（ステップＳ３９）。ステップＳ３９において、第３ユーザ端末は、出力したリクエストに対する承諾又は拒否の入力を受け付ける。第３ユーザ端末は、受け付けた承諾又は拒否を、リクエストに対する結果としてコンピュータ１０に送信する。リクエスト結果取得モジュール２５は、このリクエストに対する結果を受信することにより、リクエストに対する結果を取得することになる。
【００６９】
リクエスト結果判断モジュール４４は、取得したリクエストに対する結果に基づいて、第３のユーザが、リクエストに対して承諾したか否かを判断する（ステップＳ４０）。ステップＳ４０において、リクエスト結果判断モジュール４４は、リクエストに対して承諾しなかった、すなわち、リクエストに対して拒否されたと判断した場合（ステップＳ４０  ＮＯ）、コンピュータ１０は、本処理を終了する。このとき、コンピュータ１０は、第１のユーザに対して、資産を借りることができなかったことの通知や、他の検索結果を通知する構成であってもよい。
【００７０】
一方、ステップＳ４０において、リクエスト結果判断モジュール４４は、リクエストに対して承諾したと判断した場合（ステップＳ４０  ＹＥＳ）、登録情報取得モジュール５３は、第１のユーザ及び第３のユーザが、其々、予め登録した自身の居住地、交換場所等の登録情報を取得する（ステップＳ４１）。ステップＳ４１において、登録情報取得モジュール５３は、各ユーザが、予め登録した登録情報を参照し、今回対象となる第１のユーザ及び第３のユーザの登録情報を取得する。登録情報取得モジュール５３は、この登録情報を取得することにより、各ユーザの位置情報を取得することになる。
【００７１】
なお、位置情報取得モジュール２６は、第１のユーザ及び第３のユーザの其々の位置情報を取得する構成であってもよい。第１ユーザ端末及び第３ユーザ端末は、其々、自身の位置情報をＧＰＳ（Ｇｌｏｂａｌ  Ｐｏｓｉｔｉｏｎｉｎｇ  Ｓｙｓｔｅｍ）等から取得する。第１ユーザ端末及び第３ユーザ端末は、其々、取得した自身の位置情報を、コンピュータ１０に送信する。位置情報取得モジュール２６は、こられの位置情報を受信することにより、第１のユーザ及び第３のユーザの位置情報を取得することになる。
【００７２】
マッピングモジュール４５は、取得した第１のユーザ及び第３のユーザの登録情報に基づいて、第１のユーザ及び第３のユーザの居住地及び交換場所を、地図上にマッピングする（ステップＳ４２）。ステップＳ４２において、マッピングモジュール４５は、予め記録モジュール３０が記録する地図上に、其々の登録情報をマッピングする。
【００７３】
なお、マッピングモジュール４５は、取得した第１のユーザ及び第３のユーザの位置情報に基づいて、第１のユーザ及び第３のユーザの位置情報を、地図上にマッピングする構成であってもよい。
【００７４】
なお、マッピングモジュール４５は、各ユーザに関する情報（例えば、ニックネーム、ＩＤ、評価、予め設定された公開情報）を併せてマッピングすることも可能である。
【００７５】
必要情報交換モジュール２７は、リクエストを行った第１のユーザと、リクエストに応じた第３のユーザとに対して、資産の貸借に必要な情報である必要情報を交換する（ステップＳ４３）。ステップＳ４３において、必要情報は、第１のユーザ及び第３のユーザが予め登録した情報の一部（例えば、免許証情報、交換場所）及びリクエストの情報（例えば、借入日時、借入時間、借入日数）であり、これらを、第１ユーザ端末及び第３ユーザ端末に出力する。其々のユーザ端末は、必要情報を受信し、自身の表示部に表示や音声部から放音する。この結果、必要情報交換モジュール２７は、必要情報を第１のユーザ及び第３のユーザに出力することになり、其々のユーザ同士で必要情報を交換することになる。
【００７６】
なお、必要情報は、上述したリクエストの内容及びマッピングされた地図が含まれていてもよい。
【００７７】
なお、コンピュータ１０は、上述したステップＳ３４−Ｓ３６の処理を、ステップＳ４３の処理を行った後に実行する構成であってもよい。
【００７８】
権利付与モジュール４１は、第３のユーザに対して、今回のリクエストに応じた貸す時間分の権利と同じ時間分の他ユーザの資産を借りることができる権利を、貸借が開始されたタイミングで、付与する（ステップＳ４４）。ステップＳ４４の処理は、上述したステップＳ２１の処理と同様である。
【００７９】
記録モジュール３０は、第１のユーザの消費後における権利と、第３のユーザの付与後における権利とを其々記録する（ステップＳ４５）。ステップＳ４５において、記録モジュール３０は、第１のユーザと、消費後の権利とを対応付けて記録し、第３のユーザと、付与後の権利とを対応付けて記録することになる。
【００８０】
以上が、資産貸借処理である。
【００８１】
［資産前借処理］
図６に基づいて、資産貸借システム１が実行する資産前借処理について説明する。図６は、コンピュータ１０が実行する資産前借処理のフローチャートを示す図である。上述した各モジュールが実行する処理について、本処理に併せて説明する。本処理は、上述したステップＳ３５の処理に該当する処理となる。なお、上述した処理と同様の処理については、その詳細な説明を省略する。
【００８２】
権利前借モジュール４８は、第１のユーザに消費させる権利がない場合、権利の前借りを実行する（ステップＳ５０）。ステップＳ５０において、権利前借モジュール４８は、第３のユーザから資産を借りるために必要な時間分の内、足りない時間分を前借りする。
【００８３】
指示モジュール２８は、所定時間以内に、前借りした権利と同じ時間分、他ユーザに資産を貸すことを、第１のユーザに指示する（ステップＳ５１）。ステップＳ５１において、指示モジュール２８は、所定時間以内に、前借りした権利と同じ時間分、他ユーザに資産を貸すことを、示す通知を作成し、この通知を、第１ユーザ端末に出力する。第１ユーザ端末は、この通知を受信し、自身の表示部に表示や音声部から放音する。この結果、指示モジュール２８は、第１のユーザにこの通知を指示することになる。
【００８４】
貸出判断モジュール４０は、第１のユーザに指示した時間以内に、第１のユーザが、他ユーザに対して前借りした権利と同じ時間分、資産を貸すことができたか否かを判断する（ステップＳ５２）。ステップＳ５２において、貸出判断モジュール４０は、上述した権利付与処理により、第１のユーザに付与された権利が、前借りした権利と同じ時間分を満たすものであるか否かを判断する。
【００８５】
ステップＳ５２において、貸出判断モジュール４０は、貸すことができていないと判断した場合（ステップＳ５２  ＮＯ）、すなわち、前借りした権利と同じ時間分の権利が新たに付与されなかったと判断した場合、清算モジュール４９は、金銭でこの前借りした権利と同じ時間分の権利を清算する（ステップＳ５３）。ステップＳ５３において、清算モジュール４９は、予め設定された単位時間当たりの金額等に基づいて、今回前借りした権利と同じ時間分の金銭を算出する。清算モジュール４９は、算出した金銭を、予め第１のユーザが設定した清算方法に基づいて、清算する。コンピュータ１０は、本処理を実行後、後述するステップＳ５６の処理を実行する。
【００８６】
一方、ステップＳ５２において、貸出判断モジュール４０は、貸すことができたと判断した場合（ステップＳ５２  ＹＥＳ）、すなわち、権利が新たに付与されたと判断した場合、権利時間判断モジュール４６は、第１のユーザが保有する権利が、前借りした権利と同じ時間分を満たすか否かを判断する（ステップＳ５４）。ステップＳ５４において、権利時間判断モジュール４６は、今回、第１のユーザが資産を貸し出した時間が、前借りした権利と同じ時間分を超過するか否かを判断することになる。すなわち、権利時間判断モジュール４６は、今回、第１のユーザに付与された権利が、前借りした権利と同じ時間分を超過するものであるか否かを判断する。
【００８７】
権利時間判断モジュール４６は、前借りした権利と同じ時間分を超過しないと判断した場合（ステップＳ５４  ＮＯ）、すなわち、前借りした後に付与された権利が、前借りした権利と同じ時間分を超過しないと判断した場合、清算モジュール４９は、前借りした権利と同じ時間分の権利を金銭で清算する、または、前借りした権利と同じ時間分から前借りした後に付与された権利を差し引いて残った時間分の権利を金銭で清算する（ステップＳ５５）。ステップＳ５５の処理は、上述したステップＳ５３の処理と同様である。コンピュータ１０は、本処理を実行後、後述するステップＳ５６の処理を実行する。
【００８８】
この結果、コンピュータ１０は、前借りした時間から、所定時間内に他ユーザに資産を貸すことができた時間分を差し引き、残り時間分を金銭で清算することになる。
【００８９】
一方、ステップＳ５４において、権利時間判断モジュール４６は、前借りした権利と同じ時間分を超過すると判断した場合（ステップＳ５４  ＹＥＳ）、すなわち、付与された権利が、前借りした権利と同じ時間分を超過すると判断した場合、コンピュータ１０は、上述したステップＳ３６及びＳ４４−Ｓ４５と同様の処理を実行する（ステップＳ５６−５８）。
【００９０】
以上が、資産前借処理である。
【００９１】
コンピュータ１０は、上述した各ユーザに対する権利付与及び権利の消費のサイクルを繰り返すことになる。
【００９２】
また、上述した処理において、コンピュータ１０は、第３のユーザが、第１のユーザに対して資産を貸す前に、この貸借がキャンセルされた場合、第１のユーザに対する権利の消費及び第３のユーザに対する権利付与をキャンセルする。
【００９３】
なお、貸借がキャンセルされた場合、コンピュータ１０は、第１のユーザと第３のユーザとのどちらがキャンセルしたのかに基づいて、キャンセルしたユーザに対してペナルティを付与する構成も可能である。また、コンピュータ１０は、キャンセルが、所定時間（例えば、７２時間）以内のものであるか、所定時間よりも前の時間のものであるか等に基づいて、ペナルティを付与する構成も可能である。ペナルティとしては、後述する評価処理において、該当するユーザに対して最低点の評価を付与することが挙げられる。
【００９４】
［評価処理］
図７に基づいて、資産貸借システム１が実行する評価処理について説明する。図７は、コンピュータ１０が実行する評価処理のフローチャートを示す図である。上述した各モジュールが実行する処理について、本処理に併せて説明する。
【００９５】
評価受付モジュール２９は、資産を借りた第１のユーザと、資産を貸した第３のユーザとの其々から、互いの評価を受け付ける（ステップＳ６０）。ステップＳ６０において、第１ユーザ端末は、第３のユーザに対する評価の入力を受け付ける。また、第３ユーザ端末は、第１のユーザに対する評価の入力を受け付ける。第１ユーザ端末及び第３ユーザ端末は、其々、受け付けた評価を、コンピュータ１０に送信する。評価受付モジュール２９は、この其々の評価を受信することにより、各ユーザの評価を受け付けることになる。
【００９６】
なお、コンピュータ１０は、上述したペナルティが発生した場合、キャンセルしたユーザに対して、最低点の評価を受け付けたものとして、後述する処理を実行することになる。
【００９７】
評価算出モジュール５０は、過去の各ユーザに対する評価と、今回新たに受け付けた各ユーザに対する評価とに基づいて、各ユーザの評価を算出する（ステップＳ６１）。ステップＳ６１において、評価算出モジュール５０は、過去の各ユーザに対する評価と、今回新たに受け付けた各ユーザに対する評価との平均値等を算出することにより、各ユーザの評価を算出する。
【００９８】
なお、評価算出モジュール５０は、上述した方法以外の方法で、各ユーザの評価を算出する構成であってもよい。
【００９９】
記録モジュール３０は、今回算出した各ユーザの評価を記録する（ステップＳ６２）。ステップＳ６２において、記録モジュール３０は、過去の各ユーザの評価を新たに算出した評価に更新することにより、各ユーザの評価を記録することになる。
【０１００】
評価判断モジュール５１は、今回記録した評価が、所定の閾値以下であるか否かを判断する（ステップＳ６３）。ステップＳ６３において、評価判断モジュール５１は、今回記録したユーザの評価が、所定の閾値よりも大きいと判断した場合（ステップＳ６３  ＮＯ）、コンピュータ１０は、本処理を終了する。
【０１０１】
一方、ステップＳ６３において、評価判断モジュール５１は、今回記録したユーザの評価が、所定の閾値以下であると判断した場合（ステップＳ６３  ＹＥＳ）、貸借禁止モジュール５２は、このユーザの権利の付与、消費及び金銭による清算を禁止する（ステップＳ６４）。ステップＳ６４において、コンピュータ１０は、このユーザに対して、新たな資産の貸出、借入及び清算を禁止することになる。この結果、このユーザは、新たな資産の貸借ができない状態となる。
【０１０２】
記録モジュール３０は、権利の付与、消費及び金銭による清算を禁止したユーザを記録する（ステップＳ６５）。ステップＳ６５において、記録モジュール３０は、禁止されたことを示す情報と、このユーザの識別子とを対応付けて記録する。
【０１０３】
なお、記録モジュール３０は、上述した方法以外の方法により、権利の付与、消費及び金銭による清算を禁止したユーザを記録する構成も可能である。
【０１０４】
以上が、評価処理である。
【０１０５】
［権利購入処理］
図８に基づいて、資産貸借システム１が実行する権利購入処理について説明する。図８は、コンピュータ１０が実行する権利購入処理のフローチャートを示す図である。上述した各モジュールが実行する処理について、本処理に併せて説明する。なお、上述した処理と同様の処理については、その詳細な説明を省略する。
【０１０６】
購入受付モジュール６０は、第１のユーザに消費させる権利がない場合、他ユーザの資産を借りるための権利の購入を受け付ける（ステップＳ７０）。ステップＳ７０において、第１ユーザ端末は、この権利の購入に必要な権利購入情報（例えば、ユーザの識別子、権利分の時間、支払い方法）の入力を受け付ける。第１ユーザ端末は、受け付けた権利購入情報を、コンピュータ１０に送信する。購入受付モジュール２１は、この権利購入情報を受信することにより、第１のユーザから、権利の購入を受け付けることになる。
【０１０７】
権利付与モジュール４１は、受け付けた権利の購入に基づいて、購入した権利と同じ時間分の他ユーザの資産を借りることができる権利を、第１のユーザに付与する。（ステップＳ７１）。ステップＳ７１において、権利付与モジュール４１は、現在この第１のユーザが保有する資産を借りることができる時間に、今回購入を受け付けた権利の時間分を加算する。
【０１０８】
購入判断モジュール５４は、第１のユーザが、不足する時間分の権利を購入したか否かを判断する（ステップＳ７２）。ステップＳ７２において、購入判断モジュール５４は、上述したステップＳ７１の処理により、第１のユーザに付与された権利が、不足する時間分を満たすものであるか否かを判断する。
【０１０９】
ステップＳ７２において、購入判断モジュール５４は、購入していないと判断した場合（ステップＳ７２  ＮＯ）、すなわち、不足する時間分の権利が新たに付与されなかったと判断した場合、コンピュータ１０は、本処理を終了する。このとき、コンピュータ１０は、第１のユーザに対して、資産を借りることができなかったことの通知や、他の検索結果を通知する構成であってもよい。
【０１１０】
一方、ステップＳ７２において、購入判断モジュール５４は、購入したと判断した場合（ステップＳ７２  ＹＥＳ）、すなわち、不足する時間分の権利が新たに付与されたと判断した場合、コンピュータ１０は、上述したステップＳ３６及びＳ４４−Ｓ４５と同様の処理を実行する（ステップＳ７３−Ｓ７５）。
【０１１１】
以上が、権利再購入処理である。
【０１１２】
上述した手段、機能は、コンピュータ（ＣＰＵ、情報処理装置、各種端末を含む）が、所定のプログラムを読み込んで、実行することによって実現される。プログラムは、例えば、コンピュータからネットワーク経由で提供される（ＳａａＳ：ソフトウェア・アズ・ア・サービス）形態で提供される。また、プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記録装置又は外部記録装置に転送し記録して実行する。また、そのプログラムを、例えば、磁気ディスク、光ディスク、光磁気ディスク等の記録装置（記録媒体）に予め記録しておき、その記録装置から通信回線を介してコンピュータに提供するようにしてもよい。
【０１１３】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【０１１４】
１  資産貸借システム、１０  コンピュータ
【要約】
【課題】本発明は、自身の資産を誰かに貸す場合、貸す時間と同じ時間分の他ユーザの資産を借りることが可能となる権利を付与することにより、ユーザ間で資産の貸借を健全に行うことを容易とすることが可能な資産貸借システム、コンピュータ、資産貸借方法及びプログラムを提供することを目的とする。
【解決手段】権利を消費して、ユーザ間で資産の貸借を行う資産貸借システム１は、第１のユーザが、第２のユーザに資産を貸す場合、貸す時間分と同じ時間分の他ユーザの資産を借りることができる権利を、当該第１のユーザに付与し、前記第１のユーザから、自身が所望する資産を借りる条件の入力を受け付け、前記他ユーザの資産を検索し、前記第１のユーザから、検索した資産の内、借りるためのリクエストを受け付け、前記リクエストに対応する資産を保有する第３のユーザが、当該リクエストに応じて前記資産を貸す場合、前記第１のユーザが保有する前記権利の内、当該リクエストに応じた借りる時間分の権利を消費させ、前記リクエストに応じた借りる時間分の権利と同じ時間分の前記他ユーザの資産を借りることができる権利を、前記第３のユーザに付与する。
【選択図】図１【図１】
0006757478.tif 000002
【図２】
0006757478.tif 000003
【図３】
0006757478.tif 000004
【図４】
0006757478.tif 000005
【図５】
0006757478.tif 000006
【図６】
0006757478.tif 000007
【図７】
0006757478.tif 000008
【図８】
0006757478.tif 000009